(57)【要約】【課題】物体収納具が、避難ステージの下面に安定的に固定された構造で、避難した人々が特別な工具を必要とすることなく容易に物体収納具の固定を解除することのできる、水害避難タワーの物体収納構造を提供する。【解決手段】避難ステージ２３を有する水害避難タワー１の物体収納構造３であって、避難ステージ２３に吊り下げられた吊下部材３２と、吊下部材３２の下方に取り付けられるとともに物体収納具４１が載置された載置台３４と、吊下部材３２に取り付けられるとともに載置台３４を押し上げ可能とするための押上部材３３とを備え、載置台３４が、吊下部材３２に取り付けられた押上部材３３を介して押し上げられることにより、物体収納具４１が避難ステージ２３に押し当てられることを特徴とする。【選択図】図２
2014098243.tif 000002
【特許請求の範囲】
【請求項１】
避難ステージを有する水害避難タワーの物体収納構造であって、
前記避難ステージに吊り下げられた吊下部材と、
前記吊下部材の下方に取り付けられるとともに物体収納具が載置された載置台と、
前記吊下部材に取り付けられるとともに前記載置台を押し上げ可能とするための押上部材とを備え、
前記載置台が、前記吊下部材に取り付けられた前記押上部材を介して押し上げられることにより、前記物体収納具が前記避難ステージに押し当てられること
を特徴とする水害避難タワーの物体収納構造。
【請求項２】
避難ステージを有する水害避難タワーの物体収納構造であって、
前記避難ステージに吊り下げられた吊下部材と、
前記吊下部材の下方に取り付けられるとともに物体収納具が載置された載置台と、
前記避難ステージと前記物体収納具との間に介装された付勢する部材とを備え、
前記吊下部材に取り付けられた前記載置台により前記物体収納具が前記付勢する部材を介して前記避難ステージに押し当てられること
を特徴とする水害避難タワーの物体収納構造。
【請求項３】
前記押上部材は、付勢する部材であること
を特徴とする請求項１に記載の水害避難タワーの物体収納構造。
【請求項４】
前記付勢する部材は、弾性体であること
を特徴とする請求項２又は３に記載の水害避難タワーの物体収納構造。
【請求項５】
前記避難ステージ及び前記物体収納具は、水害による水面の到達予想高さよりも高い位置に設けられること
を特徴とする請求項１〜４のうち何れか１項に記載の水害避難タワーの物体収納構造。
【請求項６】
互いに隣り合う前記吊下部材間にブレースが取り付けられていること
を特徴とする請求項１〜５のうち何れか１項に記載の水害避難タワーの物体収納構造。
【請求項７】
避難ステージを有する水害避難タワーの物体収納構造であって、
前記避難ステージより下方部に吊り下げられた２つ以上の吊下部材と、
前記吊下部材の下方部に取り付けられるとともに物体収納具が載置された載置台と、
互いに隣り合う前記吊下部材間に少なくとも１つのブレースとを備え、
前記避難ステージ及び前記載置台が前記吊下部材に対して前記ブレースを介して固定されることにより、前記物体収納具が前記載置台に保持されること
を特徴とする水害避難タワーの物体収納構造。
【発明の詳細な説明】
【技術分野】
【０００１】
本発明は、水害避難タワーの物体収納構造に関する。
【背景技術】
【０００２】
水害避難タワーは、津波や洪水等が発生した際に住民が避難する施設である。この水害避難タワーは、例えば、津波等の押し波及び引き波による影響を最小限のものにするため、一般的に外壁を設けていない。従って、水害避難タワーは、主に柱、梁、津波の到達予想高さよりも高い位置に設けられた避難ステージ、避難ステージからの転落防止のための手摺り及び避難ステージまで登るための階段等により構成されている。
【０００３】
津波や洪水等が発生した際、住民は水害避難タワーの避難ステージまで登ることで難を逃れることができる。しかし、地上部分は水害による大きな被害を受けることになる。そして、例えば津波が去った後の地上では、土砂や瓦礫が大量に散乱しているため、地上で食料品、医療品、毛布等を調達することは非常に困難な状況になる。また、道路も寸断される等、救援物資の到着まで長い時間がかかることも考えられる。このため、水害避難タワーに避難した人は、救助までの間を水害避難タワーで過ごすことになる。
【０００４】
上述した事情から水害避難タワーは、救助されるまでの一晩から数日間を過ごす重要な施設となる。このため、水害避難タワーに食料品、医療品、毛布等の防災用品を備蓄するための物体収納構造が必要となる。
【０００５】
このような水害避難タワーに防災用品を収納する技術として、従来より各種の提案がなされている。
【０００６】
特許文献１の開示技術では、水害避難タワーに設けられた避難ステージの床下に、収納部が設けられ、当該収納部は開閉可能な避難路面板を有し、当該避難路面板を開けることで内部の収納物、例えば、食料品、医療品、毛布等の防災用品を取り出すことができる。
【０００７】
このように、人々が避難する避難ステージの床下に収納部を設けることで、防災用品を収納する倉庫を避難ステージの床上に載置した場合と比較して、避難ステージ上面の空間を広く利用することができ、避難ステージに多くの人が避難することができる。また、避難ステージと同等の床面積で床下収納を備えることができるので、避難した多くの人々を対象とした大量の防災用品を収納することもできる。
【０００８】
また、特許文献２の開示技術では、水害避難タワーの収納技術ではないものの、構造物の天井部に物体を収納する構造として天井吊り下げ構造が開示されている。
【０００９】
特許文献２の開示技術は、空気調和機を天井内に埋め込む技術であり、空気調和機本体に吊りボルトを取り付けて屋根から吊り下げ、周囲の天井板より内側に収納する技術である。
【００１０】
ところで、水害避難タワーでは、水害の恐れのない平時に利用することは想定されていない場合が多く、避難ステージの下面には天井板を吊り下げる天井構造を設けない場合が多い。このため、水害避難タワーでは、特許文献２の開示技術のように天井板等の天井構造は備えておらず、特許文献２の開示技術を水害避難タワーに利用する場合に、防災用品を天井から吊り下げる際には、防災用品を何れかの物体収納具に収納して、その物体収納具を天井から吊りボルト等で吊り下げた態様となる。
【先行技術文献】
【特許文献】
【００１１】
【特許文献１】特開２００５−２６４７２１号公報
【特許文献２】特開平０７−０９１７３５号公報
【発明の概要】
【発明が解決しようとする課題】
【００１２】
しかし、特許文献１の開示技術のように、避難ステージの上面に防災用品の搬出入を行う開口部を設ける場合には、降雨により物体収納構造の内部に雨水が浸入することを防ぐ必要がある。また、避難ステージが複数階設けられた場合には、下の階の避難ステージへ雨水が漏水することを防ぐ必要もある。このため、防災用品の搬出入を行う開口部の防水対策により、物体収納構造が複雑化し、製造コストが嵩んでしまう。
【００１３】
また、特許文献２の開示技術を水害避難タワーに用いた場合、避難ステージの下面に物体収納具を吊り下げる構造となるが、避難ステージの下面に天井板を設けない場合が多い。このため、避難ステージの下面に物体収納具を吊り下げる構造では、吊り下げた物体収納具の周囲を保持することができない。この場合には、物体収納具を避難ステージの下面から吊りボルトで単に吊るした不安定な構造となる。この構造では、例えば、津波が発生するような大地震やその後の余震の際に、物体収納具が大きく揺さぶられ、物体収納具の落下や吊りボルト等の吊り金具の落下の恐れがあり危険である。
【００１４】
そこで本発明は、上述した問題点に鑑みて案出されたものであり、その目的とするところは、津波が発生するような大地震が起きた場合にでも、物体収納具が避難ステージの下面に安定的に固定されて落下の恐れがない安全な構造であり、また、避難した人々が特別な工具を必要とすることなく容易に物体収納具の固定を解除することのできる、水害避難タワーの物体収納構造を提供することにある。
【課題を解決するための手段】
【００１５】
前記課題を解決するために、本発明に係る水害避難タワーの物体収納構造は、次のように構成する。
【００１６】
本願第１の発明は、避難ステージを有する水害避難タワーの物体収納構造であって、
避難ステージに吊り下げられた吊下部材と、吊下部材の下方に取り付けられるとともに物体収納具が載置された載置台と、吊下部材に取り付けられるとともに載置台を押し上げ可能とするための押上部材とを備え、載置台が、吊下部材に取り付けられた押上部材を介して押し上げられることにより、物体収納具が避難ステージに押し当てられることを特徴とする。
【００１７】
本願第２の発明は、避難ステージを有する水害避難タワーの物体収納構造であって、避難ステージに吊り下げられた吊下部材と、吊下部材の下方に取り付けられるとともに物体収納具が載置された載置台と、避難ステージと物体収納具との間に介装された付勢する部材とを備え、吊下部材に取り付けられた載置台により物体収納具が付勢する部材を介して避難ステージに押し当てられることを特徴とする。
【００１８】
本願第３の発明は、押上部材は、付勢する部材であることを特徴とする。
【００１９】
本願第４の発明は、第２又は第３の発明において、付勢する部材は、弾性体であることを特徴とする。
【００２０】
本願第５の発明は、第１〜４のうち何れか１の発明において、避難ステージ及び物体収納具は、水害による水面の到達予想高さよりも高い位置に設けられることを特徴とする。
【００２１】
本願第６の発明は、第１〜５のうち何れか1の発明において、互いに隣り合う吊下部材間にブレースが取り付けられていることを特徴とする。
【００２２】
本願第７の発明は、避難ステージを有する水害避難タワーの物体収納構造であって、避難ステージより下方部に吊り下げられた２つ以上の吊下部材と、吊下部材の下方部に取り付けられるとともに物体収納具が載置された載置台と、互いに隣り合う吊下部材間に少なくとも１つのブレースとを備え、避難ステージ及び載置台が吊下部材に対してブレースを介して固定されることにより、物体収納具が載置台に保持されることを特徴とする。
【発明の効果】
【００２３】
第１の発明によると、押上部材を介して載置台が上昇し、載置台に載置された物体収納具が避難ステージに押し当てられることにより、物体収納具を避難ステージの下面に安定的に固定することができる。また、押上部材は、物体収納具を避難ステージの下面に押し当てて固定するだけでなく、載置台を下降させて当該固定を解除することもできる。
【００２４】
第２の発明によると、載置台に載置された物体収納具が避難ステージと物体収納具の間に介装された付勢する部材を介して避難ステージに押し当てられる。この付勢する部材の付勢力を付与することにより、物体収納具を避難ステージの下面側に安定的に固定することができる。また、付勢する部材は、物体収納具を避難ステージの下面側に押し当てて固定するだけでなく、その付勢力を取り除くことで避難ステージと物体収納具との間に隙間が生まれ、当該固定を解除することもできる。
【００２５】
第３の発明によると、押上部材が付勢する部材であるため、押上部材を介して載置台が上昇して載置台に載置された物体収納具が避難ステージに押し当てられる際に、付勢する部材の付勢力を活かすことができる。当該付勢力を付与することにより、物体収納具を避難ステージの下面側に安定的に固定することができる。また、押上部材は、物体収納具を避難ステージの下面に押し当てて固定するだけでなく、付勢する部材の付勢力を取り除くことにより、載置台を下降させて当該固定を解除することもできる。
【００２６】
第４の発明によると、付勢する部材が弾性体であることより、この弾性体の弾性力により伸長させることで付勢力を付与することとなり、物体収納具の避難ステージの下面側に安定的に固定することができる。また、この弾性体を収縮させることで付勢力を取り除き、当該固定を解除することもできる。また、付勢する部材自体が弾性体であることから、付勢する部材自体を伸長させたり、収縮させたりすることで、工具を必要とすることなく人力で物体収納具と避難ステージとの間に隙間を作り、付勢する部材の取り付けや取り外し又は物体収納具の物体収納構造への取り付けや取り外しを行うことができる。
【００２７】
第５の発明によると、避難ステージ及び物体収納具が水害による水面の到達予想高さよりも高いことから、避難ステージに避難した人々が波等にさらわれることを防ぎ、また、物体収納具への水の浸入を防ぐことができる。
【００２８】
第６の発明によると、互いに隣り合う吊下部材間にブレースが取り付けられていることから、地震等の水平方向の力に対して、避難ステージと互いに隣り合う吊下部材と載置台により囲まれた平面が平行四辺形に変形することを防ぐことができる。また、当該平面の平行四辺形の変形を防ぐことにより、第１〜第５発明における物体収納具の固定よりも更に物体収納具を避難ステージと載置台との間に安定的に固定することができる。
【００２９】
第７の発明によると、互いに隣り合う吊下部材間にブレースが取り付けられていることから、地震等の水平方向の力に対して、避難ステージと互いに隣り合う吊下部材と載置台により囲まれた平面が平行四辺形に変形することを防ぐことができる。また、第７の発明と異なり、仮に物体収納具が避難ステージに押し当てられていなくても、物体収納具の周囲をブレースで囲むことで、物体収納具が載置台から落下することも防ぐことができる。
【図面の簡単な説明】
【００３０】
【図１】（ａ）は、本発明を適用した水害避難タワーの正面図であり、(ｂ）は、（ａ）の側面図である。
【図２】本発明を適用した水害避難タワーの一部と物体収納構造を拡大した斜視図である  。
【図３】本発明を適用した蝶ナットを利用した水害避難タワーの物体収納構造の斜視図である。
【図４】（ａ）は、蝶ナットを利用した水害避難タワーの物体収納構造の正面図であり、(ｂ）は、（ａ）のＡ−Ａ'線縦断側面図であり、（ｃ）は、（ａ）の底面図である。
【図５】本発明を適用したアイナットを利用した水害避難タワーの物体収納構造の斜視図である。
【図６】（ａ）は、アイナットを利用した水害避難タワーの物体収納構造の正面図であり、(ｂ）は、（ａ）のＢ−Ｂ'線縦断側面図であり、（ｃ）は、（ａ）の底面図である。
【図７】本発明を適用したターンバックルを利用した水害避難タワーの物体収納構造の斜視図である。
【図８】（ａ）はターンバックルを利用した水害避難タワーの物体収納構造の正面図であり、(ｂ）は、（ａ）のＣ−Ｃ'線縦断側面図であり、（ｃ）は、（ａ）の底面図である。
【図９】本発明を適用したバックルを利用した水害避難タワーの物体収納構造の斜視図である。
【図１０】（ａ）は、バックルを利用した水害避難タワーの物体収納構造の正面図であり、(ｂ）は、（ａ）のＤ−Ｄ'線縦断側面図であり、（ｃ）は、（ａ）の底面図である。
【図１１】本発明を適用した板バネを利用した水害避難タワーの物体収納構造の斜視図である。
【図１２】（ａ）は、板バネを利用した水害避難タワーの物体収納構造の正面図で、(ｂ）は、（ａ）のＥ−Ｅ'線縦断側面図であり、（ｃ）は、（ａ）の底面図である。
【図１３】本発明を適用したコイルバネを利用した水害避難タワーの物体収納構造の斜視図である。
【図１４】（ａ）は、コイルバネを利用した水害避難タワーの物体収納構造の正面図であり、(ｂ）は、（ａ）のＦ−Ｆ'線縦断側面図であり、（ｃ）は、（ａ）の底面図である。
【図１５】（ａ）は、ブレースを利用した水害避難タワーの物体収納構造の正面図であり、(ｂ）は、（ａ）のＧ−Ｇ'線縦断側面図であり、（ｃ）は、（ａ）の底面図である。
【図１６】本発明を適用した蝶ナットを利用した水害避難タワーの物体収納構造における力の作用を示した正面図である。
【発明を実施するための形態】
【００３１】
以下、本発明の実施の形態に係る水害避難タワーの物体収納構造について、図面を参照しながら詳細に説明する。
【００３２】
第１実施形態
【００３３】
図１（ａ）は、本発明を適用した水害避難タワーの正面図であり、図１(ｂ)は、図１（ａ）の側面図である。図２は、水害避難タワーの一部と物体収納構造を拡大した斜視図である。図３は、本発明を適用した蝶ナットを利用した水害避難タワーの物体収納構造の斜視図である。図４（ａ）は、本発明を適用した蝶ナットを利用した水害避難タワーの物体収納構造の正面図であり、図４(ｂ）は、図４（ａ）のＡ−Ａ'線縦断断面図であり、図４（ｃ）は、図４（ａ）の底面図である。
【００３４】
水害避難タワーは、図１に示すようにタワー本体２と、タワー本体２に取り付けられた物体収納構造３とにより構成されている。
【００３５】
タワー本体２は、図１に示すように、地面から垂直方向に立設された複数の柱２１ａ、２１ｂと、柱２１ａ、２１ｂの間に架け渡された複数の梁２２ａ、２２ｂと、梁２２ｂにより支持されて最上階に設けられる避難ステージ２３と、避難ステージ２３に設けられた転落防止のための柵２５ｂと、避難ステージ２３より下層にあり梁２２ａにより支持される中層階避難ステージ２４と、地面から中層階避難ステージ２４への階段２８ａと、中層階避難ステージ２４から避難ステージ２３への階段２８ｂとを備えている。
【００３６】
なお、本発明においては任意の数の柱２１ａ、２１ｂと梁２２ａ、２２ｂとを設けることができるが、本実施形態においては、水害避難タワー１の正面に位置する２つの柱２１ａ、２１ｂと、同じく水害避難タワー１の正面に位置する２つの梁２２ａ、２２ｂのみについて説明する。
【００３７】
柱２１ａ、２１ｂは、避難ステージ２３及び中層階避難ステージ２４を地上の所定の高さに支持するためのものであり、地面に設けられた図示しない基礎上に設置されている。柱２１ａ、２１ｂの高さは、少なくとも避難ステージ２３が、好ましくは避難ステージ２３及び物体収納構造３が津波の想定高さ以上の高さに位置するように設定される。
【００３８】
なお、図１において、柱は２１ａ、２１ｂの２つのみ図示されているが、本発明においてはこれに限らず、避難ステージ２３及び中層階避難ステージ２４を安定的に支持するため、３本以上であれば任意の数の柱を設けることができ、避難ステージ２３及び中層階避難ステージ２４の面積や重量に応じて増減してもよい。
【００３９】
梁２２ａ、２２ｂ、は、柱２１ａ、２１ｂの柱間に溶接等により固定されて架け渡されている。この梁２２ａ、２２ｂ上にそれぞれ中層階避難ステージ２４及び避難ステージ２３が設けられている。
【００４０】
なお、図１において、２つの梁２２ａ、２２ｂのみが図示されている。しかし、本発明においてはこれに限らず、中層階避難ステージ２４及び避難ステージ２３を安定的に保持するため、各ステージを少なくとも２本以上の梁を用いて支持する構成であれば任意の数の梁を設けることができる。梁２２ａ、２２ｂの数は、中層階避難ステージ２４及び避難ステージ２３の面積や重量に応じて増減してもよい。
【００４１】
避難ステージ２３は、津波の襲来時に住民が避難するためのステージであり、津波の想定高さ以上の高さにおいて、図１に示す梁２２ｂ及び梁２２ｂと同じ高さにある図示しない他の３本の梁２２ｂとによる計４本の梁２２ｂにより支持されている。避難ステージ２３の高さは、津波の想定高さよりも高い位置に設けられている。また、津波が去った後は、後述する中層階避難ステージ２４に対する屋根として機能し、中層階避難ステージ２４上に滞在する人を日光や雨から保護する。
【００４２】
なお、図３以降の各実施形態において、避難ステージ２３は、凹凸のあるデッキプレート２３ａとデッキプレート２３ａの上面に打設されたコンクリート２３ｂとで構成されている。
【００４３】
図４に示すデッキプレート２３ａは、物体収納構造３を構築する取付金具を設置するための凹凸形状の凸部分の略中央に下方に縮径されたカギ溝２３ｃがある。しかし、これに限定されることなく、物体収納構造３を構築する取付金具を設置するための凹部分の略中央に下方に縮径されたカギ溝２３ｃがあってもよい。また、デッキプレート２３ａは、鋼材で形成されている。図４に示すデッキプレート２３ａは、凹凸があるが、これに限定されることなく平坦であってもよい。
【００４４】
コンクリート２３ｂは、デッキプレート２３ａの上面に打設され、デッキプレート２３ａと一体となって避難ステージ２３を構築する。コンクリート２３ｂは、図示されていないが、必要に応じて鉄筋や鋼材が内部に敷き詰められていてもよい。
【００４５】
なお、本発明においてはこれに限らず、避難ステージ２３は、凹凸のない平坦なデッキプレート上にコンクリートが打設されている構成でもよく、又は、鋼材だけで構成されていてもよい。避難ステージ２３は、水害避難タワー１における避難ステージ２３の面積や重量、物体収納構造３の構成等に応じて設計されていれば如何なる構成であってもよい。
【００４６】
柵２５ｂは、避難ステージ２３の周囲近傍に避難ステージ２３から避難した人々が転落することを防ぐための防護柵として設けられている。柵２５ｂの形状は、避難した人々が乗り出す等して転落しなければ、如何なる形状であってもよい。
【００４７】
中層階避難ステージ２４は、避難した人々が、物体収納構造３からその内部に収納された食料品、医療品、毛布等の防災用品を取り出すためのステージである。また、津波の来襲後に住人が救助を待つ間滞在するためのステージにもなる。この中層階避難ステージ２４は、津波の想定高さ以上の位置に設けられている方が望ましい。しかし、これに限定されることはなく、物体収納構造３に防水加工が施される等、物体収納構造３の内部に収納された防災用品に影響がなければ、津波襲来時に津波が通過する高さであっても良い。中層階避難ステージ２４は、図１に示す梁２２ａ及び梁２２ａと同じ高さにある図示しない他の３本の梁２２ａとによる計４本の梁２２ａにより支持されている。なお、本実施形態においては、中層階避難ステージ２４は１層のみ設けられているが、本発明においてはこれに限らず、複数層の中層階避難ステージ２４を設けてもよい。
【００４８】
階段２８ａ、２８ｂは、地上と中層階避難ステージ２４及び避難ステージ２３との昇降手段として利用される。階段２８ａは、地面と中層階避難ステージ２４との昇降に利用され、階段２８ｂは、中層階避難ステージ２４と避難ステージ２３との昇降に利用される。
【００４９】
物体収納構造３には、水害避難タワー１に避難している避難住民が救助を待つまでの間に使用する食料品、医療品、毛布等の防災用品を含めて多様な物体が収納されている。この物体収納構造３は、津波の到達予想高さよりも高い位置にあるため、津波の襲来時に物体収納構造３に収納された防災用品等が津波によりさらわれることはなく、また、物体収納構造３の収納物を長年風雨から保護することができ、内容物の破損や劣化を効果的に防止することができる。
【００５０】
次に、物体収納構造３において、押上部材３３として蝶ナットを利用した物体収納構造３ａの構成について図３、図４を参照しながら詳細に説明する。
【００５１】
図３に示される物体収納構造３ａは、避難ステージ２３のデッキプレート２３ａの下面に所定間隔で取り付けられたハンガー３９と、ハンガー３９から下方に吊り下げられた吊下部材３２と、吊下部材３２の下方に取り付けられるとともに物体収納具４１が載置された載置台３４と、吊下部材３２に取り付けられるとともに載置台３４を押し上げ可能とするための蝶ナット３３ａとを備える。
【００５２】
ハンガー３９は、正面視で、中央が窪みつつ上下に拡径された形状をしている。ハンガー３９は、鋼材で構成されている。ハンガー３９の拡径された上端をデッキプレート２３ａのカギ溝２３ｃに挿し込むことで、ハンガー３９は、デッキプレート２３ａに固定される。また、ハンガー３９の下面には、吊下部材３２を差し込むための図示しない貫通孔がある。
【００５３】
図４に示す吊下部材３２は、鋼製の棒体で構成されている。吊下部材３２の上端は、ハンガー３９の下面にある図示しない貫通孔に差し込まれて螺着固定されている。また、吊下部材３２は、物体収納具４１を囲むように載置台３４の四隅近傍に４本取り付けられている。
【００５４】
図４に示す物体収納具４１は、正面視で略矩形であるが、四隅の角部が曲率を帯びている。物体収納具４１は、例えばプラスチック製等で形成されている。この物体収納具４１内には、水害避難タワー１に避難している避難住民が救助を待つまでの間に使用する寝具や非常食等の収納物が収納されている。この物体収納具４１は、津波の到達予想高さよりも高い位置にあるため、津波の襲来時に物体収納具４１が津波によりさらわれることはなく、また、物体収納具４１内部の収納物を長年風雨から保護することができ、内容物の破損や劣化を効果的に防止することができる。
【００５５】
載置台３４は、例えば、図４に示すとおり平板で構成されている。しかし、これに限定されることなく、物体収納具４１を載置できるものであれば何れの形状であってもよい。また、図４に示される載置台３４は、物体収納具４１が載置台３４上面の略中央に載置され、平面視では、載置台３４の横幅と物体収納具４１の横幅とはほとんど差がなく、載置台３４の端部と物体収納具４１の端部は、少しの間隔があけられている。しかし、載置台３４の剛性が確保され、かつ、物体収納具４１が載置台３４から落下せず避難ステージ２３の下面側に固定されている場合には、物体収納具４１が載置台３４上面の略中央に載置されていなくてもよい。また、この場合には、載置台３４の横幅は、物体収納具４１の横幅よりも長くてもよい。
【００５６】
蝶ナット３３ａは、載置台３４の図示しない貫通孔を貫通した吊下部材３２の下端に載置台３４の下面側から螺着固定されている。また、蝶ナット３３ａは、吊下部材３２と同様に物体収納具４１を囲むように載置台３４の四隅近傍に４つ取り付けられている。この蝶ナット３３ａを締め付けることにより、載置台３４を押し上げるとともに載置台３４に載置された物体収納具４１を上方に押し上げて避難ステージ２３に押し当てることができる。
【００５７】
第２実施形態
【００５８】
次に、物体収納構造３において、押上部材３３としてアイナットを利用した物体収納構造３ｂの構成について図５、図６を参照しながら詳細に説明する。
【００５９】
図５は、本発明を適用したアイナットを利用した水害避難タワーの物体収納構造の斜視図である。図６（ａ）は、本発明を適用したアイナットを利用した水害避難タワーの物体収納構造の正面図であり、図６(ｂ）は、図６（ａ）のＢ−Ｂ'線縦断断面図であり、図６（ｃ）は、図６（ａ）の底面図である。
【００６０】
図５に示される物体収納構造３ｂは、避難ステージ２３のデッキプレート２３ａの下面に所定間隔で取り付けられたハンガー３９と、ハンガー３９から下方に吊り下げられた吊下部材３２と、吊下部材３２の下方に取り付けられるとともに物体収納具４１が載置された載置台３４と、吊下部材３２に取り付けられるとともに載置台３４を押し上げ可能とするためのアイナット３３ｂとを備える。ここで、アイナット３３ｂ以外は、第１実施形態と同様の構成である。このため、アイナット３３ｂ以外の構成の説明は省略する。
【００６１】
アイナット３３ｂは、吊下部材３２の下端を載置台３４の図示しない貫通孔に貫通させ、載置台３４の下面側から螺着固定されている。また、アイナット３３ｂは、吊下部材３２と同様に物体収納具４１を囲むように載置台３４の四隅近傍に４つ取り付けられている。このアイナット３３ｂを締め付けることにより、載置台３４を押し上げるとともに載置台３４に載置された物体収納具４１を上方に押し上げて避難ステージ２３に押し当てることができる。
【００６２】
第３実施形態
【００６３】
次に、物体収納構造３において、押上部材３３としてターンバックルを利用した物体収納構造３ｃの構成について図７、図８を参照しながら詳細に説明する。
【００６４】
図７は、本発明を適用したターンバックルを利用した水害避難タワーの物体収納構造の斜視図である。図８（ａ）は、本発明を適用したターンバックルを利用した水害避難タワーの物体収納構造の正面図であり、図８(ｂ）は、図８（ａ）のＣ−Ｃ'線縦断断面図であり、図８（ｃ）は、図８（ａ）の底面図である。
【００６５】
図７に示される物体収納構造３ｃは、避難ステージ２３のデッキプレート２３ａの下面に所定間隔で取り付けられたハンガー３９と、ハンガー３９から下方に吊り下げられた吊下部材３２と、吊下部材３２の下方に取り付けられるとともに物体収納具４１が載置された載置台３４と、吊下部材３２の略中央に取り付けられるとともに載置台３４を押し上げ可能とするためのターンバックルブレース３３ｃとを備える。吊下部材３２及びターンバックルブレース３３ｃ以外は、第１実施形態及び第２実施形態と同様の構成である。このため、吊下部材３２及びターンバックルブレース３３ｃ以外の構成の説明は省略する。
【００６６】
図７に示される物体収納構造３ｃの吊下部材３２は、ターンバックルブレース３３ｃを挟んで上下に設けられた上部吊下部材３２ａと下部吊下部材３２ｂと、下部吊下部材３２ｂの下端に設けられたナット３２ｃとを有する。上部吊下部材３２ａの上端は、ハンガー３９の下面の図示しない貫通孔に差し込まれて螺着固定されている。下部吊下部材３２ｂの下端は、載置台３４の図示しない貫通孔に貫通され、載置台３４の下面側からナット３２ｃにより螺着固定されている。
【００６７】
ターンバックルブレース３３ｃは、上端と下端にそれぞれ図示しない貫通孔を有し、その上端の貫通孔に上部吊下部材３２ａの下端が貫通し、その下端の貫通孔に下部吊下部材３２ｂの上端が貫通している。このターンバックルブレース３３ｃを締め付けることにより、載置台３４を押し上げるとともに載置台３４に載置された物体収納具４１を上方に押し上げて避難ステージ２３に押し当てることができる。
【００６８】
第４実施形態
【００６９】
次に、物体収納構造３において、押上部材３３としてバックルを利用した物体収納構造３ｄの構成について図９、図１０を参照しながら詳細に説明する。
【００７０】
図９は、本発明を適用したバックルを利用した水害避難タワーの物体収納構造の斜視図である。図１０（ａ）は、バックルを利用した水害避難タワーの物体収納構造の正面図であり、図１０(ｂ）は、図１０（ａ）のＤ−Ｄ'線縦断側面図であり、図１０（ｃ）は、図１０（ａ）の底面図である。
【００７１】
図９に示される物体収納構造３ｄは、避難ステージ２３のデッキプレート２３ａの下面に所定間隔で取り付けられたハンガー３９と、ハンガー３９から下方に吊り下げられた吊下部材３２と、吊下部材３２の下方に取り付けられるとともに物体収納具４１が載置された載置台３４と、吊下部材３２の略中央に取り付けられるとともに載置台３４を押し上げ可能とするためのバックル３３ｄとを備える。吊下部材３２及びバックル３３ｄ以外は、第１〜３実施形態と同様の構成である。このため、吊下部材３２及びバックル３３ｄ以外の構成の説明は省略する。
【００７２】
図１０に示される物体収納構造３ｄの吊下部材３２は、ハンガー３９の下端に取り付けられたリング３２ｆとリング３２ｆに架け渡されたベルト３２ｄと載置台３４の下面側に取り付けられた留め具３２ｅとを有する。
【００７３】
リング３２ｆは、正面視で中空の略円形状であり、断面視で中空又は中実の略円形状である。また、リング３２ｆとハンガー３９の取り付けは、溶接でも別途設けられた図示しない取付金具で取り付けていてもよい。
【００７４】
ベルト３２ｄは、帯状であり、その上方はリング３２ｆを架け渡され、その下方は、載置台３４の貫通孔を貫通して留め具３２ｅで固定されている。
【００７５】
留め具３２ｅは、平面視で略矩形でも略円形でもよく、載置台３４の下面側からベルト３２ｄを載置台３４の下面側に固定できるのであれば、如何なる形状であってもよい。留め具３２ｅは、樹脂製、鋼製等如何なる構成であってもよい。
【００７６】
図１０に示されるバックル３３ｄは、例えば、正面視で略矩形をしている。しかし、これに限定されることなくベルト３２ｄを通すことができれば如何なる形状であってもよい。また、バックル３３ｄは、ベルト３２ｄの長さを調節する。このベルト３２ｄの長さをバックル３３ｄを介して調節することにより、載置台３４を押し上げるとともに載置台３４に載置された物体収納具４１を上方に押し上げて避難ステージ２３に押し当てることができる。
【００７７】
第５実施形態
【００７８】
次に、物体収納構造３において、避難ステージ２３と物体収納具４１との間に付勢する部材として板バネを介装させた物体収納構造３ｅの構成について図１１、図１２を参照しながら詳細に説明する。
【００７９】
図１１は、本発明を適用した板バネを利用した水害避難タワーの物体収納構造の斜視図である。図１２（ａ）は、板バネを利用した水害避難タワーの物体収納構造の正面図であり、図１２(ｂ）は、図１２（ａ）のＥ−Ｅ'線縦断側面図で、図１２（ｃ）は、図１２（ａ）の底面図である。
【００８０】
図１２に示される物体収納構造３ｅは、避難ステージ２３のデッキプレート２３ａの下面に所定間隔で取り付けられたハンガー３９と、ハンガー３９から下方に吊り下げられた吊下部材３２と、吊下部材３２の下方に取り付けられるとともに物体収納具４１が載置された載置台３４と、吊下部材３２の下端に取り付けられるとともに載置台３４を押し上げ可能とするための蝶ナット３３ａと、デッキプレート２３ａと前記物体収納具４１との間に介装された板バネ３５とを備える。板バネ３５以外は、第１実施形態と同様の構成である。このため板バネ３５以外の構成の説明は省略する。
【００８１】
板バネ３５は、例えば、鋼製で構成されている。板バネ３５は、物体収納具４１の上面の四隅近傍に設けられている。この板バネ３５が弾性体であることより、物体収納具４１を板バネ３５を介してデッキプレート２３ａの下面側に押し当てて固定するときは、板バネ３５を伸長させる。また、当該固定を解除するときは、板バネ３５を収縮させる。これにより、工具を必要とすることなく人力でデッキプレート２３ａの下面と物体収納具４１の上面の間に隙間を作り、板バネ３５の取り付けや取り外し又は物体収納具４１の物体収納構造３ｅへの取り付けや取り外しを行うことができる。
【００８２】
また、図１１及び図１２に示す物体収納構造３ｅでは、付勢する部材としての板バネ３５に更に押上部材３３として蝶ナット３３ａを吊下部材３２に取り付けた構成を示している。この場合の作用効果は、蝶ナット３３ａを介して板バネ３５の力を徐々に大きくすることで物体収納具４１をデッキプレート２３ａの下面側に安定的に固定できる。また同様に、蝶ナット３３ａを介して板バネ３５の力を徐々に小さくすることで安定的に当該固定を解除できる。しかし、これに限定されることなく、押上部材３３として蝶ナット３３ａ以外の他の実施形態２〜４を加えた構成としてもよい。これらの場合の作用効果も蝶ナット３３ａを加えた場合と同様である。また上述のように板バネ３５のみがあれば物体収納構造３ｅにおける物体収納具４１の固定と当該固定の解除が可能となるため、押上部材３３が一切なく板バネ３５のみの構成としてもよい。
【００８３】
第６実施形態
【００８４】
次に、物体収納構造３において、押上部材３３としてコイルバネを利用した物体収納構造３ｆの構成について図１３、図１４を参照しながら詳細に説明する。
【００８５】
図１３は、本発明を適用したコイルバネを利用した水害避難タワーの物体収納構造の斜視図である。図１４（ａ）は、コイルバネを利用した水害避難タワーの物体収納構造の正面図であり、図１４(ｂ）は、図１４（ａ）のＥ−Ｅ'線縦断側面図で、図１４（ｃ）は、図１４（ａ）の底面図である。
【００８６】
図１３に示される物体収納構造３ｆは、避難ステージ２３のデッキプレート２３ａの下面に所定間隔で取り付けられたハンガー３９と、ハンガー３９から下方に吊り下げられた吊下部材３２と、吊下部材３２の下方をその四隅近傍に設けられた図示しない貫通孔に貫通させるとともに物体収納具４１が載置された載置台３４と、吊下部材３２の下端に取り付けられるとともに載置台３４を押し上げ可能とするためのコイルバネ機構３６とを備える。コイルバネ機構３６以外の構成は、第１実施形態と同様の構成である。このためコイルバネ機構３６以外の構成の説明は省略する。
【００８７】
コイルバネ機構３６は、吊下部材３２の下方に取り付けられるとともにその上端に載置台３４が載置されたコイルバネ３６ａと、コイルバネ３６ａの下端に取り付けられたコイル台３６ｂとを有する。
【００８８】
コイルバネ３６ａは、例えば、鋼製のコイルであれば如何なる構成であってもよい。図１３に示すコイルバネ３６ａは、４つの吊下部材３２にそれぞれ１つずつ取り付けられ、この４つのコイルバネ３６ａが、載置台３４の下面の四隅近傍に対応させて配置されている。しかし、これに限定されることなく、コイルバネ３６ａは、その上端に載置されている載置台３４及び載置台３４の上面に載置されている物体収納具４１を安定的に上方に押上可能とするのであれば、４つの吊下部材３２のうち少なくとも１つ取り付けられた構成であってもよい。
【００８９】
図１３に示すコイル台３６ｂは、例えば、略矩形の平板で構成されている。図１３に示すコイル台３６ｂは、４つの吊下部材３２及びコイルバネ３６ａの下端にそれぞれ１つずつ取り付けられ、この４つのコイル台３６ｂが、載置台３４の下面の四隅近傍に対応させて配置されている。しかし、これに限定されることなく、コイル台３６ｂは、コイルバネ３６ａ、載置台３４及び吊下部材３２の設置を妨げる構成でなければ、如何なる形状、大きさであってもよく、複数のコイルバネ３６ａが載置された一枚板であってもよい。
【００９０】
このコイルバネ３６ａが弾性体であることより、物体収納具４１をデッキプレート２３ａの下面に押し当てて固定するときは、コイルバネ３６ａを伸長させる。また、当該固定を解除するときは、コイルバネ３６ａを収縮させる。これにより、工具を必要とすることなく人力でデッキプレート２３ａの下面と物体収納具４１の上面の間に隙間を作り、物体収納具４１の物体収納構造３ｆへの取り付けや取り外しを行うことができる。
【００９１】
なお、図１３及び図１４に示す物体収納構造３ｆでは、載置台３４を押し上げ可能とする押上部材３３は、コイルバネ機構３６のみの構成である。しかし、これに限定されることなく、例えば、押上部材３３としてコイルバネ機構３６に更に図示しない蝶ナット３３ａを加えた構成も考えられる。この場合の作用効果は、蝶ナット３３ａを介してコイルバネ機構３６の力を徐々に大きくすることで物体収納具４１をデッキプレート２３ａの下面に安定的に固定できる。また同様に、蝶ナット３３ａを介してコイルバネ機構３６の力を徐々に小さくすることで安定的に当該固定を解除できる。なお、この物体収納構造３ｆにおける押上部材３３は、コイルバネ機構３６に更に蝶ナット３３ａ以外の他の実施形態２〜４を加えた構成も考えられる。これらの場合の作用効果も蝶ナット３３ａを加えた場合と同様である。
【００９２】
第７実施形態
【００９３】
次に、物体収納構造３において、吊下部材３２の周囲にブレースを取り付けた物体収納構造３ｇの構成について図１５を参照しながら詳細に説明する。
【００９４】
図１５（ａ）は、ブレースを利用した水害避難タワーの物体収納構造の正面図であり、図１５(ｂ）は、（ａ）のＧ−Ｇ'線縦断側面図で、図１５（ｃ）は、（ａ）の底面図である。
【００９５】
図１５に示される物体収納構造３ｇは、避難ステージ２３のデッキプレート２３ａの下面に所定間隔で取り付けられたハンガー３９と、ハンガー３９から下方に吊り下げられた吊下部材３２と、吊下部材３２の下方に取り付けられるとともに物体収納具４１が載置された載置台３４と、吊下部材３２間に取り付けられたブレース３７とを備える。ここで、ブレース３７以外は、第１〜４の実施例と同様の構成である。このため、ブレース３７以外の構成の説明は省略する。
【００９６】
ブレース３７は、ハンガー３９に取り付けられた上部ブラケット３７ｅと、上部ブラケット３７ｅの下面に取り付けられた上部ブラケット３７ｆと、上部ブラケット３７ｅ，３７ｆを貫通させてハンガー３９から下方に吊り下げられた吊下部材３２と、載置台３４の下面に取り付けられると共に吊下部材３２を貫通させた下部ブラケット３７ｇと、吊下部材３２を貫通させるとともに下部ブラケット３７ｇの下面に取り付けられた下部ブラケット３７ｈと、上部ブラケット３７ｆと正面視でその対角線上にある下部ブラケット３７ｈとを接合するブレース３７ａと、上部ブラケット３７ｅと側面視でその対角線上にある下部ブラケット３７ｇとを接合するブレース３７ｂとを備える。
【００９７】
図１５（ａ）に示すとおり、上部ブラケット３７ｅと上部ブラケット３７ｆと吊下部材３２とは、上部ブラケット３７ｆの下面からナット３７ｋにより螺着固定されている。
【００９８】
下部ブラケット３７ｇと下部ブラケット３７ｈと吊下部材３２とは、下部ブラケット３７ｈの下面からナット３７ｎにより螺着固定されている。
【００９９】
また、図１５（ａ）に示すブレース３７ａは、その上端では図示しない紙面略直交方向の貫通孔が形成され、この貫通孔と上部ブラケット３７ｆに設けられた図示しない紙面略直交方向の貫通孔に、併せてボルト３７ｏを上部ブラケット３７ｆの物体収納具４１側から挿通させて反対側からナット３７ｐにより螺着固定されている。
【０１００】
同様に、ブレース３７ａの下端は、図示しない紙面略直交方向の貫通孔が形成され、この貫通孔と下部ブラケット３７ｈに設けられた図示しない紙面略直交方向の貫通孔に、併せてボルト３７ｑを下部ブラケット３７ｈの物体収納具４１側から挿通させて反対側からナット３７ｒにより螺着固定されている。
【０１０１】
これにより、正面視における水平方向からの力に対して避難ステージ２３、吊下部材３２及び載置台３４で囲まれた略矩形の平面が平行四辺形に歪むことを防ぐことができる。
【０１０２】
図１５（ｂ）に示すブレース３７ｂは、その上端では図示しない紙面略直交方向の貫通孔が形成され、この貫通孔と上部ブラケット３７eに設けられた図示しない紙面略直交方向の貫通孔に、併せてボルト３７ｉを上部ブラケット３７eの物体収納具４１側から挿通させて反対側からナット３７ｊにより螺着固定されている。
【０１０３】
同様に、ブレース３７ｂの下端は、図示しない紙面略直交方向の貫通孔が形成され、この貫通孔と下部ブラケット３７ｇに設けられた図示しない紙面略直交方向の貫通孔に、併せてボルト３７ｌを下部ブラケット３７ｇの物体収納具４１側から挿通させて反対側からナット３７ｍにより螺着固定されている。
【０１０４】
これにより、側面視における水平方向からの力に対して避難ステージ２３、吊下部材３２及び載置台３４で囲まれた略矩形の平面が平行四辺形に歪むことを防ぐことができる。
【０１０５】
この物体収納構造３ｇは、ブレース３７を吊下部材３２の周囲を囲む状態で設けることにより、地震等で水平方向の荷重がかかった際に、吊下部材３２に水平方向に揺れて不安定になることを防ぐためのものである。従って、ブレース３７により吊下部材３２及び載置台３４が固定されるとともにブレース３７が周囲の柵の役割も果たす。このため、図１５では、物体収納具４１が第１〜６の実施形態と同様に避難ステージ２３に押し当てられているが、仮に物体収納具４１が避難ステージ２３に押し当てられていなくても、物体収納具４１が載置台３４の上面から落下することを防ぐことができる。
【０１０６】
なお、物体収納構造３ｇに示すブレース３７は、第１〜６実施形態の補強材として更に取り付けることもできる。これにより、吊下部材３２と避難ステージ２３、吊下部材３２と載置台３４がより強固に固定される。
【０１０７】
次に、本発明を適用した水害避難タワーの物体収納構造において、物体収納具４１が避難ステージ２３に押し当てられたときの応力等の発生の仕方について、図１６を参照しながら詳細に説明する。
【０１０８】
図１６は、本発明を適用した蝶ナットを利用した水害避難タワーの物体収納構造３ａの場合における力の作用を示した正面図である。
【０１０９】
まず、上下方向の力について説明する。図１６に示すとおり、蝶ナット３３ａを締め付けることにより載置台３４が上昇していく。これにより、吊下部材３２は、載置台３４から上方へ力Ｑ1と、避難ステージ２３から下方へ力Ｑ2とを受ける。この反発力として、載置台３４は、吊下部材３２から下方へＳ1の力と、避難ステージ２３のカギ溝２３ｃは、吊下部材３２から上方へＳ2の力とを受ける。同様に、載置台３４は、物体収納具４１が載置されることで下方へＰ1の力を受ける。その反発力として、物体収納具４１は、載置台３４から上方へＮ1の力を受ける。避難ステージ２３は、物体収納具４１が押し当てられることで物体収納具４１から上方へＭ2の力を受ける。その反発力として、物体収納具４１は、避難ステージ２３から下方へＮ2の力を受ける。従って、物体収納具４１は、載置台３４から上方へＮ1の力と避難ステージ２３から下方へＮ2の力とにより、載置台３４と避難ステージ２３との間の上下方向に固定されることになる。
【０１１０】
次に、例えば、地震力等の左方向から右方向へ水平方向の力Ｆが、物体収納構造３ａにかかった場合について説明する。このとき、避難ステージ２３と当接している物体収納具４１の上面には、摩擦力Ｔ2が発生する。同様に、水平方向の力Ｆがかかると、載置台３４と当接している物体収納具４１の下面には、摩擦力Ｔ1が発生する。この物体収納具４１に発生する摩擦力Ｔ1,Ｔ2によって物体収納具４１は、避難ステージ２３と載置台３４との間の水平方向にも固定されることになる。
【０１１１】
また、物体収納具４１が破壊されない程度に蝶ナット３３ａの締め付けを強くすることにより、物体収納具４１は更に強固に避難ステージ２３及び載置台３４の間に固定されることとなる。これにより、物体収納具４１が避難ステージ２３の下面に安定的に固定されて落下の恐れのない安全な構造が実現する。
【０１１２】
一方、蝶ナット３３ａの締め付けを弱めることで、載置台３４が下降していき、物体収納具４１にかかる載置台３４から上方へＮ1の力と避難ステージ２３から下方へＮ2の力とが弱まり、やがて、物体収納具４１の上端が避難ステージ２３より離間される。これにより、物体収納具４１を物体収納構造３ａから容易に取り外すことができる。なお、蝶ナット３３ａの締め付けは、人力でも取り外しが可能であるため、避難した人が特別な工具を必要とすることなく容易に物体収納具の固定を解除することができる。
【０１１３】
物体収納具４１は、第１実施形態の蝶ナット３３ａだけでなく、それ以外の実施形態においても、同様に第２〜６実施形態の押上部材３３、板バネ３５を介在させることで、避難ステージ２３と載置台３４との間に固定することができ、かつ人力でその固定を解除することができる。これにより、地震等が起こり、かつ津波等の水害が起こったとしても、水害避難タワー１に避難した人は、救援物資が到着するまで水害避難タワー１での避難生活を過すことが可能となる。
【０１１４】
以上、本発明の実施形態の例について詳細に説明したが、前述した実施形態は、何れも本発明を実施するにあたって具体化の例を示したものに過ぎず、これらによって本発明の技術的範囲が限定的に解釈されてはならないものである。
【符号の説明】
【０１１５】
１          水害避難タワー
２          タワー本体
３、３ａ、３ｂ、３ｃ、３ｄ、３ｅ、３ｆ、３ｇ    物体収納構造
２１ａ、２１ｂ    柱
２２ａ、２２ｂ    梁
２３          避難ステージ
２３ａ        デッキプレート
２３ｂ        コンクリート
２３ｃ        カギ溝
２４          中階層避難ステージ
２５ｂ        柵
２８ａ、２８ｂ    階段
３２          吊下部材
３２ａ        上部吊下部材
３２ｂ        下部吊下部材
３２ｃ、３７ｊ、３７ｋ、３７ｍ、３７ｎ、３７ｐ、３７ｒ    ナット
３２ｄ        ベルト
３２ｅ        留め具
３２ｆ        リング
３３          押上部材
３３ａ        蝶ナット
３３ｂ        アイナット
３３ｃ        ターンバックルブレース
３３ｄ        バックル
３４          載置台
３５          板バネ
３６          コイルバネ機構
３６ａ        コイルバネ
３６ｂ        コイル台
３７          ブレース
３７ａ、３７ｂ    ブレース本体
３７ｅ、３７ｆ    上部ブラケット
３７ｇ、３７ｈ    下部ブラケット
３７ｉ、３７ｌ、３７o、３７ｑ    ボルト
３９          ハンガー
４１          物体収納具
【図１】
2014098243.tif 000003
【図２】
2014098243.tif 000004
【図３】
2014098243.tif 000005
【図４】
2014098243.tif 000006
【図５】
2014098243.tif 000007
【図６】
2014098243.tif 000008
【図７】
2014098243.tif 000009
【図８】
2014098243.tif 000010
【図９】
2014098243.tif 000011
【図１０】
2014098243.tif 000012
【図１１】
2014098243.tif 000013
【図１２】
2014098243.tif 000014
【図１３】
2014098243.tif 000015
【図１４】
2014098243.tif 000016
【図１５】
2014098243.tif 000017
【図１６】
2014098243.tif 000018